(57)【要約】【課題】　乾燥し過ぎによる粘着力の低下がなく、破損の恐れもなく、水分を素早く平衡状態に保つことのできる生体電極の収納構造を提供する。【解決手段】　収納具７０は、生体電極１を貼付する生体電極取付部分７１と、生体電極取付部分７１を表裏に突き抜ける多数の貫通孔７２と、生体電極取付部分７１に生体電極１を取付けたときにコード４を通すための切欠部７３とを有する。貫通孔７２は断面四角形状であって格子状に配置されている。生体電極取付部分７１に生体電極１を貼付すると、貫通孔７２に対面する生体電極１の部分だけは取付部分７１に接触しない。従って、生体電極１の水分が貫通孔７２を通じて発散したり、反対に水分が生体電極１に吸収されたりし、生体電極１の水分が平衡状態に維持される。また、生体電極１は、貫通孔７２を有する生体電極取付部分７１に貼付するので、破損するようなこともない。【選択図】　　　図１
2004033789.tif 000002
【特許請求の範囲】
【請求項１】
　生体に接触させて使用する生体電極を収納する生体電極取付部分を有する収納構造であって、
　前記生体電極取付部分は凹凸形状の表面を有することを特徴とする生体電極の収納構造。
【請求項２】
　前記凹凸形状の表面は、その凹部が収納構造の外部に連通していることを特徴とする請求項１記載の生体電極の収納構造。
【請求項３】
　生体に接触させて使用する生体電極を収納する生体電極取付部分を有する収納構造であって、
　前記生体電極取付部分は当該部分を表裏に突き抜ける多数の貫通孔を有することを特徴とする生体電極の収納構造。
【請求項４】
　前記貫通孔は格子状に配置されていることを特徴とする請求項３記載の生体電極の収納構造。
【請求項５】
　前記貫通孔は不規則に配置されていることを特徴とする請求項３記載の生体電極の収納構造。
【請求項６】
　前記生体電極取付部分は貫通孔を表裏方向に垂直な方向に連通する溝を有することを特徴とする請求項３、請求項４又は請求項５記載の生体電極の収納構造。
【請求項７】
　前記生体電極取付部分の生体電極取付側とは反対側に、水分を蒸発させるファンを設けたことを特徴とする請求項１、請求項２、請求項３、請求項４、請求項５又は請求項６記載の生体電極の収納構造。
【請求項８】
　前記生体電極取付部分の生体電極取付側とは反対側に、水分を蒸発させるヒータ及びファンを設けたことを特徴とする請求項１、請求項２、請求項３、請求項４、請求項５又は請求項６記載の生体電極の収納構造。
【請求項９】
　前記収納構造は、前記生体電極が接続される電子機器本体とは別個に用意された収納具に設けられていることを特徴とする請求項１、請求項２、請求項３、請求項４、請求項５、請求項６、請求項７又は請求項８記載の生体電極の収納構造。
【請求項１０】
　前記収納構造は、前記生体電極が接続される電子機器本体に設けられていることを特徴とする請求項１、請求項２、請求項３、請求項４、請求項５、請求項６、請求項７又は請求項８記載の生体電極の収納構造。
【発明の詳細な説明】
【技術分野】
【０００１】
　本発明は、低周波治療器や心電計等に用いられ、生体に接触させて使用される生体電極を収納する収納構造に関する。
【背景技術】
【０００２】
　従来の生体電極の収納具には、次に示すようなものがある。例えば、導子（生体電極）を収納する収納面を有する収納板と、この収納板を発熱させる発熱体とを備え、発熱体で熱を加えたときに、生体電極に付着した雑菌を殺菌すると共に、生体電極の粘着力を再生回復させるように構成された導子収納具がある（例えば、特許文献１参照）。また、この導子収納具では、収納面に電極より粘着力が小さい粘着シートを設けることで、生体電極を収納面から剥がすときに、生体電極の汚れを除去するようにしている。
【０００３】
　他方、導電性粘着パッド（生体電極）を収納する保管容器内の相対湿度を一定に保つように保管容器内に調湿剤を設けた導電性粘着パッド保管容器がある（例えば、特許文献２参照）。この容器によれば、使用中の汗や生体電極の汚れを落とすときに使用した水により、生体電極が吸湿・吸水したり、生体電極を乾燥した部屋に長時間放置したことにより、生体電極が脱湿・乾燥したりした場合、調湿剤により湿度が一定に保たれた保管容器内に生体電極を保管することで、生体電極の水分を一定の平衡状態に維持するようにしている。
【特許文献１】特開平１０−２４８９４０号公報
【特許文献２】特開平７−３１５９８号公報
【発明の開示】
【発明が解決しようとする課題】
【０００４】
　しかしながら、上記発熱体を備えた生体電極の収納具では、発熱体の熱により生体電極が乾燥し過ぎて、粘着力が低下したり、収納面から生体電極を剥がすときに粘着シートの粘着により生体電極が破損したりする問題点がある。又、上記調湿剤を設けた保管容器では、吸湿・吸水又は脱湿・乾燥した生体電極の水分を平衡状態にするのに時間が掛かるという問題点がある。
【０００５】
本発明は、このような従来の問題点に着目してなされたもので、乾燥し過ぎによる粘着力の低下がなく、破損の恐れもなく、水分を素早く平衡状態に保つことのできる生体電極の収納構造を提供することを目的とする。
【課題を解決するための手段】
【０００６】
　前記目的を達成するために、本発明の請求項１記載の生体電極の収納構造は、生体に接触させて使用する生体電極を収納する生体電極取付部分を有するものであって、生体電極取付部分が凹凸形状の表面を有することを特徴とする。
【０００７】
　この収納構造では、生体電極取付部分の表面が凹凸形状であるため、生体電極を生体電極取付部分に取付けると、生体電極と取付部分表面との間に間隙が形成され、この間隙を通じて生体電極の水分が蒸散する。
【０００８】
　請求項３記載の生体電極の収納構造は、生体電極取付部分が当該部分を表裏に突き抜ける多数の貫通孔を有することを特徴とする。
【０００９】
　この収納構造では、生体電極を生体電極取付部分に取付けると、生体電極の水分が貫通孔を通じて蒸散する。
【発明の効果】
【００１０】
　本発明によれば、生体電極を生体電極取付部分に取付けると、空気流通路が形成されるので、生体電極が空気流通路を通じて吸湿又は脱湿し、生体電極の水分が平衡状態に保たれる。又、生体電極は、単に生体電極取付部分に取付けるので（粘着シートに貼付するのではないので）破損しない。
【００１１】
　更に、ファンを設けることにより、空気流通路を通じての生体電極の水分の蒸散性を高めることができ、ヒータとファンを併用することにより、その効果をより一層高めることができる。
【発明を実施するための最良の形態】
【００１２】
　以下、本発明を実施の形態に基づいて説明する。但し、本発明は、生体電極の収納構造に特徴があり、収納構造以外の生体電極や電子機器本体の構成は従来のものと同じでもよいので、収納構造を中心に説明する。
【００１３】
　一実施形態に係る生体電極の収納構造の斜視図を図１に、断面図を図２に示す。この収納構造は、低周波治療器や心電計等の電子機器本体とは別個に用意された収納具に設けられたもので、生体電極１を収納具７０に貼付して収納する。生体電極１は、電極体２と、この電極体２に貼着された導電性の粘着パッド３と、電極体２と電子機器本体（図示せず）とを接続するコード４とを有する。
【００１４】
　収納具７０は、生体電極１を貼付する生体電極取付部分７１と、この取付部分７１に生体電極１を取付けたときにコード４を通すための切欠部７３とを有する。この収納具７０は、生体電極取付部分７１が当該部分を表裏に突き抜ける多数の貫通孔７２を有するものである。貫通孔７２は断面四角形状であって格子状に配置されている。但し、貫通孔７２は不規則に配置してもよいし、貫通孔７２の大きさや形状も均一である必要はない。
【００１５】
　この収納具７０において、生体電極取付部分７１に生体電極１を貼付すると、貫通孔７２に対面する生体電極１の部分だけは取付部分７１に接触しない。従って、生体電極１の水分が貫通孔７２を通じて発散したり、反対に水分が生体電極１に吸収されたりし、生体電極１の水分が平衡状態に維持される。又、生体電極１は、貫通孔７２を有する生体電極取付部分７１に貼付するので、破損するようなこともない。
【００１６】
　更に別実施形態の収納構造を図３（斜視図）及び図４（断面図）に示す。この収納具８０は、生体電極１を生体電極取付部分８１の両面に貼付するもので、生体電極取付部分８１が貫通孔８２を有すると共に、貫通孔８２を表裏方向に垂直な方向に連通する溝８５を有するものである。貫通孔８２は断面円形状であって格子状に配置され、溝８５は取付部分８１を横方向に貫通し、溝８５により全ての貫通孔８２が縦横に連通している。又、溝８５は収納具８０の側面で開口し、収納具８０の外部と連通している。
【００１７】
　この収納具８０では、生体電極取付部分８１の両面に生体電極１を貼付すると、貫通孔８２は生体電極１で塞がれるが、全ての貫通孔８２が溝８５で連通し、しかも溝８５は収納具８０の外部と通じているから、生体電極１の水分が溝８５を通じて収納具８０の外部に発散したり、或いは外部の水分が溝８５を通じて生体電極１に吸収されたりし、前記収納具７０と同等の作用効果が得られる。
【００１８】
　更に別実施形態の収納構造を図５（斜視図）及び図６（断面図）に示す。この収納具９０は、貫通孔９２を有する生体電極取付部分９１に下記の水分吸収素材９３が設けられ、水分吸収素材９３とは反対側に水分を蒸発させるヒータ（例えばＰＴＣヒータ）９５とファン９６が設けられている。ヒータ９５は、生体電極取付部分９１の表面に所定の配線パターンで取付けられ、ファン９６は、貫通孔９２を通じて水分吸収素材９３に送風するように配置されている。又、収納具９０の側面には開口９７が形成され、収納具９０の内部は開口９７を通じて外部と連通している。なお、ここではヒータ９５とファン９６を設けてあるが、ヒータ９５のみ、或いはファン９６のみを使用してもよい。
【００１９】
　ここで、水分吸収素材９３は、吸水性に優れ、人体に無害であれば特定されず、ポリウレタン、塩化ビニール、シリコンゴム、ＥＰＤＭゴム等からなってもよく、或いは不織布、布地、連続泡を有する発泡体等でもよい。
【００２０】
　この収納具９０では、生体電極１を水分吸収素材９３に貼付した後、例えば収納具９０に別途設けられたスイッチをＯＮにして、ヒータ９５に通電すれば、ヒータ９５の熱により、水分吸収素材９３に吸収された水分の蒸発が促進され、それにより水分吸収素材９３による吸水性が高まる。更に、ファン９６をも作動させることで、風が水分吸収素材９３に当てられるだけでなく、水蒸気が開口９７から収納具９０の外部に効率良く放出されるので、水分の蒸発がより一層促進される。
【００２１】
　なお、収納具７０，８０，９０において、貫通孔を設けた生体電極取付部分は、いずれも例えば金型加工により形成することができる。又、収納具８０の生体電極取付部分８１は、複数のプレートを組合せて構成してもよい。例えば、小さい貫通孔を有する２枚のプレートと、このプレートの貫通孔よりも大きい貫通孔を有する１枚のプレートを用い、小さい貫通孔を有するプレートで大きい貫通孔を有するプレートを挟持し、大小の貫通孔が連通するようにしてもよい。
【００２２】
　更に別実施形態の収納構造を図７（斜視図）及び図８（断面図）に示す。この収納具１００は、生体電極取付部分１０１の表面を凹凸形状にしたもので、ここでは円柱状の凸部１０２が取付部分１０１に縦横に並設されている。生体電極取付部分１０１の表面に凸部１０２を設けることで、凸部１０２の周囲に凹部が形成される。従って、この収納具１００では、生体電極取付部分１０１に生体電極１を貼付すると、凹部が空気流通路となるので、前記貫通孔を有する生体電極取付部分の場合と同様の作用効果が得られる。
【００２３】
　なお、例えば収納具１００の側面に穴を開けるか或いは切欠部を形成し、凹部を収納具１００の外部と連通させることで、収納具１００の内部が外部と連通するので、湿気や水分が収納具１００の外部に逃げ易くなり、より好ましい態様となる。
【００２４】
　凸部の別の形態例を図９（斜視図）及び図１０（断面図）に示す。この収納具１１０では、生体電極取付部分１１１の表面に角柱状の凸部１１２が設けられている。この収納具１１０でも、凸部１１２により凹部が形成されるので、前記収納具１００と同等の作用効果が得られる。
【００２５】
　上記円柱状の凸部１０２や角柱状の凸部１１２の他の形態として、生体電極取付部分の表面を波状にしてもよい。いずれにしても、生体電極取付部分の表面を凹凸形状にできるのであれば、凸部の形状・個数等に限定はない。又、上記凸部１０２，１１２は、生体電極取付部分の表面に別個に設けても、一体成形で形成してもよく、或いは凹凸形状の表面は金型によるシボ加工によって形成することができる。
【図面の簡単な説明】
【００２６】
【図１】一実施形態に係る収納構造を設けた収納具の斜視図である。
【図２】図１の収納具の断面図である。
【図３】別実施形態に係る収納構造を設けた収納具の斜視図である。
【図４】図３の収納具の断面図である。
【図５】更に別実施形態に係る収納構造を設けた収納具の斜視図である。
【図６】図５の収納具の断面図である。
【図７】更に別実施形態に係る収納構造を設けた収納具の斜視図である。
【図８】図７の収納具の断面図である。
【図９】更に別実施形態に係る収納構造を設けた収納具の斜視図である。
【図１０】図９の収納具の断面図である。
【符号の説明】
【００２７】
　１　　　　　　　　　生体電極
　７０，８０，９０　　収納具
　１００，１１０　　　収納具
　７１，８１，９１　　生体電極取付部分
　１０１，１１１　　　生体電極取付部分
　７２，８２，９２　　貫通孔
　８５　　　　　　　　溝
　９３　　　　　　　　水分吸収素材
　９５　　　　　　　　ヒータ
　９６　　　　　　　　ファン
　１０２，１１２　　　凸部
【図１】
2004033789.tif 000003
【図２】
2004033789.tif 000004
【図３】
2004033789.tif 000005
【図４】
2004033789.tif 000006
【図５】
2004033789.tif 000007
【図６】
2004033789.tif 000008
【図７】
2004033789.tif 000009
【図８】
2004033789.tif 000010
【図９】
2004033789.tif 000011
【図１０】
2004033789.tif 000012